(57)【特許請求の範囲】
【請求項１】
モータ及びモータにより上下動され、一端に切断を行うブレードを取付けるプランジャを内蔵するハウジングと、ハウジング下方に設けられ被切断材上を摺動し、ハウジングに対して前後方向に移動あるいは左右方向に傾斜可能なベースとを有し、ハウジングとベースとをボルト及びボルトとネジ嵌合するレバーとにより締め付け固定するようにした切断機であって、
前記レバーの長さを前記ボルトの中心からベース側面までの距離より長くすると共に、前記レバーの締め付け操作時にレバー端部がベース側面よりも突出することがないようにレバーに突き当たる突き当て面を前記ハウジングに設けたことを特徴とする切断機。
【請求項２】
前記ハウジングの突き当て面を、レバーを締め付け、ベースを傾斜させた状態でレバー端部がベース底面より下方に突出することがないようにレバーに突き当たる形状としたことを特徴とする請求項１記載の切断機。
【発明の詳細な説明】
【０００１】
【発明の属する技術分野】
本発明はハウジングに対してベースを前後方向に移動あるいは左右方向に傾斜させることが可能なジグソー等の切断機に関するものである。以下切断機をジグソーとして説明する。
【０００２】
【従来の技術】
図６に従来のジグソーの一例を示す。ジグソーは、図示しないモータ及び上下動可能に保持されモータにより上下動するプランジャ１０を内蔵するハウジング１と、ハウジング１下方に設けられ被切断材７上を摺動するベース２とからなり、プランジャ１０の一端にはプランジャ１０が上下動することにより木材等の切断作業を行うブレード５が取付けられる。
ベース２は様々な切断作業時において、効率良く切断作業が行えるように、ハウジング１に対し前後方向に移動あるいは図７に示すように左右方向に傾斜（通常は最大４５度傾斜）させることが可能な構成となっており、ベース２の移動あるいは傾斜操作を別部品等を用いずに容易に行うことができるようにするために、ジグソーは図８、図９に示すように、ハウジング１底面に円形穴１２、ベース２のハウジング１との摺動面に十字形のスライド穴１３をそれぞれ設け、ハウジング１とベース２とをこれらの穴を貫通するボルト８とボルト８とネジ嵌合するレバー３により締め付ける構成となっている。このような構成とすることによって、レバー３を操作しレバー３とボルト８との嵌合を緩めれば、ハウジング１に対してベース２を移動あるいは傾斜させることができる。
【０００３】
ハウジング１とベース２を締め付け固定した時のレバー３の状態を図１０、１１に示す。ベース２をハウジング１に対し前後方向に移動あるいは左右方向に傾斜させる操作は、レバー３をレバー３とボルト８との嵌合が緩む方向（ボルト８が右ネジの場合は左方向）に回転させ（図１２、１３）、ベース２を任意の位置へ移動又は傾斜させ、再びレバー３を締め付けハウジング１とベース２を固定させることにより行われる。
【０００４】
【発明が解決しようとする課題】
上記した従来のジグソーは、レバー３を操作しハウジング１とベース２との嵌合状態を解除し、ハウジング１に対してベース２を移動あるいは傾斜させ、再びレバー３を締め付ける時、通常は図１０、図１１に示す個所にレバー３を戻すとハウジング１とベース２とを十分に締め付け固定することができるように設定されているが、作業者の腕力の違いによりレバー３の締め付け位置に違いが発生してしまう。すなわち、図１０、図１１に示す個所よりもレバー３を締め付け過ぎてしまい、レバー３端部が図１４に示すようにベース側面９より突出してしまうと、レバー３が邪魔となり図１５に示すように壁の近くで作業を行うことができなくなる場合があると共に、ハウジング１に対してベース２を左右方向に傾斜させた際にレバー３端部がベース底面１１より下方に突出してしまい被切断材７上面に突き当たり、正確な切断作業を行うことができない場合があるという欠点があった。
【０００５】
上記欠点を解消するために図１７、図１８に示すように、レバー３の長さＬ１（ボルト８の中心からレバー３の端部までの距離）をボルト８の中心からベース側面９までの距離Ｌ２より短くして、レバー３がベース２側面より突出することを確実に防止できる構成とすることが考えられるが、レバー３を短くするとハウジング１とベース２とを締め付け固定するために必要なトルクを確保することが難しいという欠点がある。
本発明の目的は、上記欠点を解消し、レバーを短くしなくとも切断作業時にレバーが邪魔となることがなく、レバーを締め付け過ぎてしまうことを防止することができるジグソーを提供することである。
【０００６】
【課題を解決するための手段】
上記目的は、レバーの締め付け操作時にレバー端部がベース側面よりも突出することがないようにレバーに突き当たる突き当て面をハウジングに設けた構成とすることにより達成される。
【０００７】
【発明の実施の形態】
図１に本発明ジグソーの一実施形態を示す側面図、図２に図１の要部拡大斜視図を示す。上記した従来のジグソーと同一構成の部位には同一の符号を付したので説明を省略する。
図に示すようにハウジング１のレバー３端部及びボルト８近傍部には、レバー３を締め付けた際にレバー３に突き当たる突き当て面４が形成されている。この突き当て面４は、ハウジング１とベース２との締め付け固定状態が十分な程度に締め付けられたレバー３が更に締め付けられすぎるのを防止し、レバー３端部がベース２の側面９よりも突出することがないように形成されている。
【０００８】
レバー３がベース２の長手方向とほぼ同方向となるまで締め付けられると、ハウジング１とベース２との締め付け固定状態はほぼ十分となるように設定されているが、突き当て面４はレバー３がこの状態よりも更に締め付けられた場合にレバー３に突き当たると共にレバー３端部がベース側面９よりも突出しないようにレバー３の回転を規制する位置に設けられている。
また、図５に示すようにハウジング１に対してベース２を傾斜させ、レバー３を突き当て面４に突き当たるまで締め付けた際にレバー３端部が被切断材７に突き当たることがないように、すなわちレバー３がベース底面１１より下方に突出することがないように突き当て面４の位置が設定されている。
【０００９】
このような構成とすることによって、レバー３を締め付け過ぎてレバー３端部がベース側面９より突出してしまい、壁近傍での切断作業がレバー３端部が邪魔となり行うことができないという問題や、ハウジング１にベース２を傾斜させて切断作業を行う際にレバー３端部が被切断材７上面に突き当たり正確な切断作業を行うことができないという問題が発生することなく正確な切断作業を行うことができるようになる。
【００１０】
【発明の効果】
上記したように本発明によれば、レバーの締め付け操作時にレバー端部がベース側面よりも突出することがないようにレバーに突き当たる突き当て面をハウジングに設けた構成とすることにより、レバーを短くしなくとも切断作業時にレバーが邪魔となることがなく、レバーを締め付け過ぎてしまうことを防止することができるジグソーを提供することができるようになる。
【図面の簡単な説明】
【図１】本発明ジグソーの一実施形態を示す側面図。
【図２】図１の要部拡大斜視図。
【図３】レバーを最大限に締め付けた状態を示す図１のＡ−Ａ線断面図。
【図４】レバーを最大限に締め付けた状態を示す図１のＢ方向矢視図。
【図５】レバーを最大限に締め付け、ハウジングに対してベースを傾斜させた状態を示す図１のＢ方向矢視図。
【図６】従来のジグソーの一例を示す要部断面側面図。
【図７】図６のＤ方向矢視図。
【図８】図６の要部拡大断面図。
【図９】図６の要部拡大展開図。
【図１０】図６のＣ−Ｃ線断面図。
【図１１】図６のＤ方向矢視拡大図。
【図１２】レバーを緩めた状態を示す図６のＣ−Ｃ線断面図。
【図１３】レバーを緩めた状態を示す図６のＤ方向矢視拡大図。
【図１４】レバーを締め付けた状態を示す図６のＣ−Ｃ線断面図。
【図１５】レバーを締め付けた状態を示す図６のＤ方向矢視図。
【図１６】レバーを締め付け、ハウジングに対しベースを左右方向に傾斜させた状態を示す図６のＤ方向矢視図。
【図１７】従来のジグソーの他の一例を示す図６のＣ−Ｃ線相当断面図。
【図１８】図１７のレバーを締め付けた状態を示す図６のＣ−Ｃ線相当断面図。
【符号の説明】
１はハウジング、２はベース、３はレバー、４は突き当て面、５はブレード、７は被切断材、８はボルト、９はベース側面、１０はプランジャ、１１はベース底面である。
【図１】
0003674319.tif 000002
【図２】
0003674319.tif 000003
【図３】
0003674319.tif 000004
【図４】
0003674319.tif 000005
【図５】
0003674319.tif 000006
【図６】
0003674319.tif 000007
【図７】
0003674319.tif 000008
【図８】
0003674319.tif 000009
【図９】
0003674319.tif 000010
【図１０】
0003674319.tif 000011
【図１１】
0003674319.tif 000012
【図１２】
0003674319.tif 000013
【図１３】
0003674319.tif 000014
【図１４】
0003674319.tif 000015
【図１５】
0003674319.tif 000016
【図１６】
0003674319.tif 000017
【図１７】
0003674319.tif 000018
【図１８】
0003674319.tif 000019